(57)【要約】【課題】レポートの提供先のユーザーが必要とする項目について、対象者の行動および状態の傾向が対象者ごとに可視化された結果を含むレポートを、ユーザーごとに出力可能なレポート出力プログラムを提供する。【解決手段】対象者に関するレポートをコンピューターに出力させる制御プログラムであって、レポートを提供する提供先ユーザーに関する情報を受け付ける手順（ａ）と、蓄積された、対象者の行動および状態の情報を取得する手順（ｂ）と、取得された当該情報に基づいて、対象者の行動および状態の傾向を、指定を受け付けた提供先ユーザーに応じた項目について、対象者ごとに可視化した結果を含むレポートを作成する手順（ｃ）と、作成されたレポートを出力する手順（ｄ）と、をコンピューターに実行させるためのプログラム。【選択図】図１０
2019239716.tif 000002
【特許請求の範囲】
【請求項１】
対象者に関するレポートをコンピューターに出力させる制御プログラムであって、
前記レポートを提供する提供先ユーザーに関する情報の指定を受け付ける手順（ａ）と、
蓄積された、前記対象者の行動および状態の情報を取得する手順（ｂ）と、
前記手順（ｂ）において取得された前記情報に基づいて、前記対象者の行動および状態の傾向を、前記手順（ａ）において指定を受け付けた前記提供先ユーザーに応じた項目について、前記対象者ごとに可視化した結果を含むレポートを作成する手順（ｃ）と、
手順（ｃ）で作成された前記レポートを出力する手順（ｄ）と、
をコンピューターに実行させるためのレポート出力プログラム。
【請求項２】
前記手順（ｂ）において取得された前記情報に基づいて、前記対象者ごとのコメントを作成する手順（ｅ）をさらにコンピューターに実行させ、
前記手順（ｃ）は、前記手順（ｅ）において作成された前記コメントを含む前記レポートを作成する、請求項１に記載のレポート出力プログラム。
【請求項３】
前記手順（ｃ）で作成された、前記対象者ごとに可視化した結果を表示して、前記対象者に対して対応を行うスタッフによる、前記対象者ごとのコメントを受け付ける手順（ｆ）をさらにコンピューターに実行させ、
前記手順（ｃ）は、前記手順（ｆ）において受け付けられた前記コメントを含む前記レポートを作成する、請求項１または２に記載のレポート出力プログラム。
【請求項４】
可視化する前記項目を受け付ける手順（ｇ）をさらにコンピューターに実行させ、
前記手順（ｃ）は、前記手順（ｇ）で受け付けられた前記項目について、前記対象者ごとに可視化した結果を含むレポートを作成する、請求項１〜３のいずれか一項に記載のレポート出力プログラム。
【請求項５】
前記対象者の行動および状態には、就寝時間、起床時間、睡眠時間、食事量、水分摂取量、血圧、体温、排泄回数、離床数、ナースコール数、転倒回数、転落回数、イベント中の様子、および前記対象者のおかれた環境に関する情報の少なくともいずれかが含まれる、請求項１〜４のいずれか一項に記載のレポート出力プログラム。
【請求項６】
所定の期間、蓄積された前記対象者の行動および状態の情報のうち、前記レポートにおいて前記図または表により可視化しようとする期間の指定を受け付ける手順（ｈ）をさらにコンピューターに実行させ、
前記手順（ｃ）は、前記手順（ｈ）において指定された期間に蓄積された、前記対象者の行動および状態の情報を可視化した結果を含むレポートを作成する、請求項１〜５のいずれか一項に記載のレポート出力プログラム。
【請求項７】
前記提供先ユーザーに関する情報は、前記提供先ユーザーの種類を示す情報である、請求項１〜６のいずれか一項に記載のレポート出力プログラム。
【請求項８】
前記提供先ユーザーに応じた項目は、前記提供先ユーザーの種類ごとに予め定められている、請求項７に記載のレポート出力プログラム。
【請求項９】
前記可視化した結果には、図、表、およびグラフの少なくともいずれかが含まれる、請求項１〜８のいずれか一項に記載のレポート出力プログラム。
【請求項１０】
レポートを提供する提供先ユーザーに関する情報の指定を受け付ける段階（ａ）と、
蓄積された、対象者の行動および状態の情報を取得する段階（ｂ）と、
前記段階（ｂ）において取得された前記情報に基づいて、前記対象者の行動および状態の傾向を、前記段階（ａ）において指定を受け付けた前記提供先ユーザーに応じた項目について、前記対象者ごとに可視化した結果を含むレポートを作成する段階（ｃ）と、
段階（ｃ）で作成された前記レポートを出力する段階（ｄ）と、
を有するレポート出力方法。
【請求項１１】
レポートを提供する提供先ユーザーに関する情報の指定を受け付ける受付部と、
蓄積された、対象者の行動および状態の情報を取得する取得部と、
前記取得部により取得された前記情報に基づいて、前記対象者の行動および状態の傾向を、前記受付部により指定が受け付けられた前記提供先ユーザーに応じた項目について、前記対象者ごとに可視化した結果を含むレポートを作成する演算部と、
前記演算部により作成された前記レポートを出力する出力部と、
を有するレポート出力装置。
【発明の詳細な説明】
【技術分野】
【０００１】
本発明はレポート出力プログラム、レポート出力方法、およびレポート出力装置に関する。特に、本発明は、対象者に関するレポートを出力するレポート出力プログラム、レポート出力方法、およびレポート出力装置に関する。
【背景技術】
【０００２】
我が国は、戦後の高度経済成長に伴う生活水準の向上、衛生環境の改善、および医療水準の向上等により、長寿命化が顕著となっている。このため、出生率の低下と相まって、高齢化率が高い高齢化社会になっている。このような高齢化社会では、病気、怪我、および加齢などにより、介護を必要とする要介護者等の増加が想定される。【０００３】
老人福祉施設や病院等の施設においては、要介護者等である介護等の対象者の当該施設における状況が、通常、施設から対象者の家族へ報告書が送付されることで、対象者の家族に対して定期的に報告される。【０００４】
施設における対象者の状況を報告するための技術としては、下記特許文献１に記載されたものがある。すなわち、スタッフが所持するスタッフ端末と、要介護者である利用者の家族が所持する家族端末と、運営管理サーバーと、を相互に通信可能に接続する。運営管理サーバーにより、スタッフ端末から入力される利用者の食事量やバイタルサイン等の介護に関する情報を記憶し、スタッフ端末から入力された開示許可情報に基づいて、記憶された情報のうち、利用者の家族に開示する情報を選択する。そして、選択した情報を、利用者の家族からのリクエストに応じて家族端末へ送信することで当該家族に報告する。
【先行技術文献】
【特許文献】
【０００５】
【特許文献１】特開２０１６−２０７２２０号公報
【発明の概要】
【発明が解決しようとする課題】
【０００６】
しかし、蓄積された、要介護者である対象者の行動や状態のうち報告を受ける者が必要とする情報は、報告を受けるユーザーにより異なる。【０００７】
特許文献１には、報告の提供先に応じて、提供する情報を切り替えることについて開示がない。従って、提供先に応じたレポートを出力するという要望に応えられないという問題がある。【０００８】
本発明は、このような問題を解決するためになされたものである。すなわち、レポートの提供先のユーザーが必要とする項目について、対象者の行動および状態の傾向が対象者ごとに可視化された結果を含むレポートを、ユーザーごとに出力可能なレポート出力プログラム、レポート出力方法、およびレポート出力装置を提供することを目的とする。
【課題を解決するための手段】
【０００９】
本発明の上記課題は、以下の手段によって解決される。【００１０】
（１）対象者に関するレポートをコンピューターに出力させる制御プログラムであって、前記レポートを提供する提供先ユーザーに関する情報の指定を受け付ける手順（ａ）と、蓄積された、前記対象者の行動および状態の情報を取得する手順（ｂ）と、前記手順（ｂ）において取得された前記情報に基づいて、前記対象者の行動および状態の傾向を、前記手順（ａ）において指定を受け付けた前記提供先ユーザーに応じた項目について、前記対象者ごとに可視化した結果を含むレポートを作成する手順（ｃ）と、手順（ｃ）で作成された前記レポートを出力する手順（ｄ）と、をコンピューターに実行させるためのレポート出力プログラム。【００１１】
（２）前記手順（ｂ）において取得された前記情報に基づいて、前記対象者ごとのコメントを作成する手順（ｅ）をさらにコンピューターに実行させ、前記手順（ｃ）は、前記手順（ｅ）において作成された前記コメントを含む前記レポートを作成する、上記（１）に記載のレポート出力プログラム。【００１２】
（３）前記手順（ｃ）で作成された、前記対象者ごとに可視化した結果を表示して、前記対象者に対して対応を行うスタッフによる、前記対象者ごとのコメントを受け付ける手順（ｆ）をさらにコンピューターに実行させ、前記手順（ｃ）は、前記手順（ｆ）において受け付けられた前記コメントを含む前記レポートを作成する、上記（１）または（２）に記載のレポート出力プログラム。【００１３】
（４）可視化する前記項目を受け付ける手順（ｇ）をさらにコンピューターに実行させ、前記手順（ｃ）は、前記手順（ｇ）で受け付けられた前記項目について、前記対象者ごとに可視化した結果を含むレポートを作成する、上記（１）〜（３）のいずれかに記載のレポート出力プログラム。【００１４】
（５）前記対象者の行動および状態には、就寝時間、起床時間、睡眠時間、食事量、水分摂取量、血圧、体温、排泄回数、離床数、ナースコール数、転倒回数、転落回数、イベント中の様子、および前記対象者のおかれた環境に関する情報の少なくともいずれかが含まれる、上記（１）〜（４）のいずれかに記載のレポート出力プログラム。【００１５】
（６）所定の期間、蓄積された前記対象者の行動および状態の情報のうち、前記レポートにおいて前記図または表により可視化しようとする期間の指定を受け付ける手順（ｈ）をさらにコンピューターに実行させ、前記手順（ｃ）は、前記手順（ｈ）において指定された期間に蓄積された、前記対象者の行動および状態の情報を可視化した結果を含むレポートを作成する、上記（１）〜（５）のいずれかに記載のレポート出力プログラム。【００１６】
（７）前記提供先ユーザーに関する情報は、前記提供先ユーザーの種類を示す情報である、上記（１）〜（６）のいずれかに記載のレポート出力プログラム。【００１７】
（８）前記提供先ユーザーに応じた項目は、前記提供先ユーザーの種類ごとに予め定められている、上記（７）に記載のレポート出力プログラム。【００１８】
（９）前記可視化した結果には、図、表、およびグラフの少なくともいずれかが含まれる、上記（１）〜（８）のいずれかに記載のレポート出力プログラム。【００１９】
（１０）レポートを提供する提供先ユーザーに関する情報の指定を受け付ける段階（ａ）と、蓄積された、対象者の行動および状態の情報を取得する段階（ｂ）と、前記段階（ｂ）において取得された前記情報に基づいて、前記対象者の行動および状態の傾向を、前記段階（ａ）において指定を受け付けた前記提供先ユーザーに応じた項目について、前記対象者ごとに可視化した結果を含むレポートを作成する段階（ｃ）と、段階（ｃ）で作成された前記レポートを出力する段階（ｄ）と、を有するレポート出力方法。【００２０】
（１１）レポートを提供する提供先ユーザーに関する情報の指定を受け付ける受付部と、蓄積された、対象者の行動および状態の情報を取得する取得部と、前記取得部により取得された前記情報に基づいて、前記対象者の行動および状態の傾向を、前記受付部により指定が受け付けられた前記提供先ユーザーに応じた項目について、前記対象者ごとに可視化した結果を含むレポートを作成する演算部と、前記演算部により作成された前記レポートを出力する出力部と、を有するレポート出力装置。
【発明の効果】
【００２１】
蓄積された、対象者の行動および状態の情報に基づいて、レポートの提供先のユーザーに応じて設定された項目について、対象者の行動および状態の傾向が可視化された結果を含むレポートを作成して出力する。これにより、レポートの提供先のユーザーが必要とする項目について、対象者の行動および状態の傾向が対象者ごとに可視化された結果を含むレポートを、ユーザーごとに出力できる。
【図面の簡単な説明】
【００２２】
【図１】見守りシステムの全体構成を示す図である。
【図２】対象者の部屋に設置された検出部の例を示す図である。
【図３】検出部のハードウェア構成を示すブロック図である。
【図４】サーバーのハードウェア構成を示すブロック図である。
【図５】サーバーの制御部の機能を示すブロック図である。
【図６】スタッフに向けたレポートの例を示す図である。
【図７】対象者の家族に向けたレポートの例を示す図である。
【図８】管理者端末のハードウェア構成を示すブロック図である。
【図９】携帯端末のハードウェア構成を示すブロック図である。
【図１０】サーバーの動作を示すフローチャートである。
【発明を実施するための形態】
【００２３】
以下、添付した図面を参照して、本発明の実施形態を説明する。なお、図面の説明において同一の要素には同一の符号を付し、重複する説明を省略する。また、図面の寸法比率は、説明の都合上誇張されており、実際の比率とは異なる場合がある。
【００２４】
（全体構成）
図１は見守りシステムの全体構成を示す図であり、図２は対象者の部屋のベッド周辺に設置された検出部の例を示す図である。
【００２５】
図１に示すように、見守りシステム１は、複数の検出部１０、サーバー２０、管理者端末３０、および１つ以上のスタッフ端末４０を備える。これらは、有線や無線によって、ＬＡＮ（Ｌｏｃａｌ  Ａｒｅａ  Ｎｅｔｗｏｒｋ）、電話網またはデータ通信網等のネットワーク５０を介して、相互に通信可能に接続される。ネットワーク５０は、通信信号を中継するリピーター、ブリッジ、ルーターまたはクロスコネクト等の中継機を備えてもよい。図１に示す例では、スタッフ端末４０は、検出部１０、サーバー２０、および管理者端末３０と、アクセスポイント５１を含む無線ＬＡＮ等（例えばＩＥＥＥ８０２．１１規格に従ったＬＡＮ）のネットワーク５０によって、相互に通信可能に接続されている。
【００２６】
見守りシステム１は、対象者７０に応じて適宜な場所に配設される。対象者７０（見守り対象者）は、例えば、病気や怪我等によって看護を必要とする患者、高齢による身体能力の低下等によって介護を必要とする被介護者、一人暮らしの独居者、または病院施設に入院している患者等である。特に、早期発見および早期対処を可能にする観点から、対象者７０は、例えば異常状態等の所定の不都合な事象がその者に生じた場合に、その発見を必要としている者であり得る。このため、見守りシステム１は、対象者７０の種類に応じて、老人福祉施設、病院、および住戸等の建物に好適に配設される。図１に示す例では、見守りシステム１は、複数の対象者７０が入居する複数の部屋（居室）やナースステーションを含む複数の部屋を備える施設の建物に配置されている。
【００２７】
検出部１０は、対象者７０の観察領域であるそれぞれの居室に配置される。図１に示す例では、４つの検出部１０が対象者７０であるＡさん、Ｂさん、ＣさんおよびＤさんの居室にそれぞれ配置されている。検出部１０の観察領域にはベッド６０が含まれている。対象者７０に対して介護または看護等の対応（例えば、ケア）を行うスタッフ８０は、それぞれ携帯端末であるスタッフ端末４０を持ち歩いている。ただし、見守りシステム１が備える各構成の位置や個数等は、図１に示す例に限定されない。例えば、サーバー２０は、ナースステーションに配置されなくてもよく、ネットワーク５０に接続されている外部のサーバーユニットであってもよい。
【００２８】
（検出部１０）
図３は、検出部のハードウェア構成を示すブロック図である。同図に示すように、検出部１０は、制御部１１、通信部１２、カメラ１３、ナースコール部１４、および音声入出力部１５を備え、これらはバスによって、相互に接続されている。
【００２９】
制御部１１は、ＣＰＵ（Ｃｅｎｔｒａｌ  Ｐｒｏｃｅｓｓｉｎｇ  Ｕｎｉｔ）、およびＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等のメモリにより構成され、プログラムにしたがって検出部１０の各部の制御および演算処理を行う。なお、制御部１１は、メモリとして、さらにＨＤＤ（Ｈａｒｄ  Ｄｉｓｋ  Ｄｒｉｖｅ）を備えてもよい。
【００３０】
通信部１２は、ネットワーク５０を介して、例えば、サーバー２０、管理者端末３０またはスタッフ端末４０等の、他の装置と通信するためのインターフェース回路（例えばＬＡＮカード等）である。
【００３１】
カメラ１３は、例えば居室の天井、または壁の上部に配置され、観察領域として対象者７０のベッド６０を含む領域を撮影し、撮影画像（画像データ）を出力する。以下、カメラ１３により撮影された画像を、単に「撮影画像」とも称する。撮影画像には対象者７０を含む画像が含まれる。撮影画像には、静止画および動画を含む。カメラ１３は近赤外線カメラであるが、これに換えて可視光カメラを用いてもよく、これらを併用してもよい。
【００３２】
制御部１１は、カメラ１３が撮影した撮影画像から、対象者７０の行動を認識する。この認識する行動には、ベッド６０から起き上がる「起床」、ベッド６０から離れる「離床」、および床面等に転倒する「転倒」が含まれる。
【００３３】
制御部１１は、複数の撮影画像（動画像）から画像のシルエット（以下、「人シルエット」と称する）を検出する。人シルエットは、例えば、撮影時刻が前後する画像の差分を抽出する時間差分法により差分が相対的に大きい画素の範囲を抽出することで検出され得る。人シルエットは、撮影画像と背景画像との差分を抽出する背景差分法により検出されてもよい。起床、離床、転倒、転落の認識は、検出した人シルエットから対象者７０の姿勢（例えば立位、座位および横臥等）、およびベッド６０等の居室内の設置物との相対的な位置から起床、離床、転倒、および転落の別を認識する。これらの認識は、制御部１１のＣＰＵが処理するプログラムにより行ってもよく、組み込み型の処理回路により行うようにしてもよい。また、これに限られずサーバー２０側でこれらの認識の全部またはほとんどの処理を行うようにし、制御部１１ではサーバー２０への撮影画像の送信のみを行うようにしてもよい。制御部１１は、いずれかの行動を認識した場合、その行動が発生した旨の通知をサーバー２０等に送信する。
【００３４】
スタッフ８０は、業務に応じた、対象者７０への各種の対応を行う者である。業務には、医療業務、介護業務を含み得る。ここで、スタッフ８０の業務が、対象者７０に対する介護業務である場合に、各イベントに関する対応内容について説明する。イベントとして「起床」を判定し、その判定が所定時間内（施設で設定された起床時間（例えば午前７〜８時））であれば、モーニングケアを行う。このモーニングケアには、洗顔、歯磨き介助、義歯装着、着替え介助等が含まれる。また、「離床」のイベントであれば、車椅子移乗、歩行介助が必要となる場合がある。また、検出部１０が判定したイベント以外の定期的（定時）なイベントとして、飲料、および食事介助、排泄介助、車椅子移乗、歩行介助、体位変換（褥瘡予防）がある。これらの定期的イベントは、ナースコール部１４等により、定時になるとアラートを発生させるようにしてもよい。
【００３５】
ナースコール部１４は、押しボタン式のスイッチを含み、スイッチが対象者７０によって押されることでナースコールを検出する。ナースコールにはケアコール等が含まれる。押しボタン式のスイッチに換えて、音声マイクによりナースコールを検出してもよい。ナースコール部１４のスイッチが押された場合、すなわち、ナースコールを検出した場合、制御部１１は、通信部１２およびネットワーク５０を介して、ナースコールがあった旨の通知（ナースコール通知）をサーバー２０等に送信する。
【００３６】
音声入出力部１５は、例えばスピーカーとマイクであり、通信部１２を介してスタッフ端末４０等との間で音声信号を送受信することで音声通話を可能とする。なお、音声入出力部１５は検出部１０の外部装置として、通信部１２を介して検出部１０に接続されてもよい。
【００３７】
また、検出部１０は、ベッド６０の方向に向けてマイクロ波を送受信して対象者７０の体動（例えば呼吸動）によって生じたマイクロ波のドップラシフトを検出するドップラシフト方式の体動センサーを、さらに備えてもよい。この体動センサーにより、対象者７０の呼吸動作に伴う胸部の体動（胸部の上下動）を検出し、その胸部の体動における周期の乱れや予め設定された閾値以下である胸部の体動における振幅を検知すると、微体動異常であると認識する。なお、対象者７０の睡眠時間は、撮影画像に基づく対象者７０とベッド６０との相対的な位置関係により、対象者７０の入床および離床を検出することで測定し得る。しかし、体動センサーによる胸部の体動を併せて考慮することでより正確に睡眠時間を計測し得る。
【００３８】
本実施形態においては、対象者７０に関する検出部１０が認識した状態の変化であって、起床、離床、転倒、微体動異常、などのスタッフ８０に発報（報知）を行うべき事象をイベントと称する。またこのイベントには、ナースコール部１４によるナースコールを含む。すなわち、検出部１０は、観察領域における対象者７０の動きとして、対象者７０によるナースコールを検出してもよい。検出部１０は、生じたイベントの情報および撮影画像をサーバー２０へ送信（出力）する。
【００３９】
（サーバー２０）
図４は、サーバーのハードウェア構成を示すブロック図である。
【００４０】
サーバー２０は、制御部２１、通信部２２、および記憶部２３を備える。サーバー２０は、対象者７０用の居室と同じ建物内に設けられてもよく、遠隔地に設けられてネットワークを介して接続可能であってもよい。例えば、サーバー２０は、インターネット等のネットワーク上に配置された複数のサーバーによって仮想的に構築されるクラウドサーバーであってもよい。各構成は、バスによって、相互に通信可能に接続されている。
【００４１】
記憶部２３は、本実施形態に係るプログラムを記憶する。サーバー２０の上記構成要素は、プログラムに従い、制御部２１により制御される。記憶部２３は、対象者７０やスタッフ８０に関する各種情報を記憶し蓄積する。対象者７０に関する情報は、対象者７０の行動および状態の情報（以下、「対象者に関する情報」と称する）を構成する。対象者に関する情報には、イベントの情報、撮影画像、介護記録、オープンデータ、その他の対象者７０に関する各種情報が含まれる。具体的には、対象者に関する情報には、例えば、就寝時間、起床時間、睡眠時間、食事量、水分摂取量、血圧、体温、排泄回数、離床数、ナースコール数、転倒回数、転落回数、イベント中の様子、および対象者のおかれた環境に関する情報（例えば、対象者の居室の室温および湿度、ならびに対象者の居室がある施設が含まれる地域の天気）が含まれる。スタッフ８０に関する情報には、例えば、イベントに対応した回数やイベントへの対応に要した時間が含まれる。その他の制御部２１、および通信部２２は、検出部１０の各構成と同様の機能を有するため、詳細な説明を省略する。
【００４２】
サーバー２０は、検出部１０から受信したイベントの情報および撮影画像を単独で、または検出部１０と協働することで、検出部１０が認識した、起床、離床、転倒、ナースコール等のイベントが、どの対象者７０に関するものであるかを判定（識別）する。この判定は、イベントを認識した検出部１０が設置されている居室番号から、これに対応付けられている対象者７０（すなわち、居室の入居者）を判定することで行う。なお、対象者７０の判定は、対象者７０がＩＣタグを携帯している場合には、このＩＣタグを各居室に設けたＲＦＩＤリーダーで読み取ることにより、判定してもよい。なお、相部屋等で、１つの居室に複数の対象者７０が存在する場合には、ベッド６０ごとに検出部１０を配置することで、対象者７０を判定してもよい。
【００４３】
サーバー２０は、検出部１０からイベントの情報を受信したときは、イベントを発生させた対象者７０の氏名、部屋番号、およびイベントの内容を含むイベント通知をスタッフ端末４０へ送信することで、スタッフ８０にイベントの発生を報知するとともに、イベントへの対応を指示する。
【００４４】
サーバー２０は、対象者７０に関するレポートを作成して出力する。レポートは定期的（例えば月ごと）に作成され、出力され得る。レポートは、指示があるごとに、不定期に作成され、出力されてもよい。提供用のレポートを出力することには、レポートをデータとして対象者７０の家族等のコンピューター端末へ送信することや、管理者端末３０等へデータを送信して表示部にレポートを表示させることや、画像形成装置へデータを送信して印刷物としてレポートを出力させることを含む。また、レポートをデータとしてスタッフ端末４０へ送信することも含む。さらに、対象者７０の家族等のコンピューター端末から施設のウェブサイトへアクセスすることで、ブラウザーを介して当該コンピューター端末からレポートを視認できる場所へ当該レポートのデータをアップロードすること等も含む。図５は、サーバーの制御部の機能を示すブロック図である。
【００４５】
図５に示すように、サーバー２０は、入力制御部２１１、記憶制御部２１２、取得部２１３、演算部２１４、および出力制御部２１５を有する。入力制御部２１１は受付部を構成する。出力制御部２１５は出力部を構成する。
【００４６】
入力制御部２１１は、上述した、対象者に関する情報を受け付ける。検出部１０から送信される、イベントの情報および撮影画像は、入力制御部２１１により、通信部２２を介して取得される。スタッフ８０によりスタッフ端末４０に入力された介護記録は、スタッフ端末４０から送信され、入力制御部２１１により、通信部２２を介して取得される。オープンデータのうち、対象者７０の各居室の気温および湿度は、例えば、対象者７０の各居室に備えられた無線送信機能を有する温湿度計から送信され、入力制御部２１１により、通信部２２を介して取得される。天気は、オープンデータを提供する政府機関等から送信され、入力制御部２１１により、通信部２２を介して取得される。
【００４７】
入力制御部２１１は、管理者端末３０の入力部３４等に入力された、レポートを作成する対象者７０の指定と、レポートを提供するユーザー（提供先ユーザー）の種類の指定を、通信部２２を介して取得する。ユーザーの種類は、ユーザーに関する情報を構成する。レポートには、指定された、ユーザーに応じた項目であるユーザーの種類に応じた項目について、指定された対象者７０の行動および状態の傾向が可視化された結果である、図、表、またはグラフ（以下、「可視化図表」とも称する）が含まれる。傾向とは、時間の経過により示されるデータの推移等である。提供先のユーザーの種類には、例えば、対象者７０の家族、対象者７０が入所する施設のスタッフ、および、医者または看護師等の医療関係者が含まれる。ユーザーに応じた項目は、予め各ユーザーが必要とする情報として、各ユーザーに対応付けされて記憶部２３に記憶される。この項目は、ユーザーの種類ごとに対応付けられているが、ユーザー個人（ユーザーＩＤ）ごとに対応付けられていてもよい。項目には、例えば、就寝時間、起床時間、睡眠時間、食事量、水分摂取量、血圧、体温、排泄回数、離床数、およびナースコール数の、所定期間における傾向が含まれる。所定期間は、可視化図表の作成に用いられた、対象者に関する情報が蓄積された日時（期間）が指定されることにより設定され得る。レポートには、後述するように、コメントが含まれ得る。なお、ユーザーに応じた項目は、管理者９０等によってレポートの出力の際に選択された項目としてもよい。すなわち、例えば、ユーザーに応じた項目の候補を、管理者端末３０の表示部３３（図８参照）に管理者９０の指示の入力に応じて選択可能に表示させ、当該候補のうち、管理者９０により選択された項目を、ユーザーに応じた項目としてもよい。
【００４８】
記憶制御部２１２は、対象者に関する情報を記憶部２３に記憶させることで蓄積する。対象者に関する情報には、記憶部２３に蓄積された日時が付与される。
【００４９】
取得部２１３は、蓄積された対象者に関する情報のうち、レポートの作成に必要な情報を取得する。レポートの作成に必要な情報には、指定された提供先のユーザーに応じた項目について、指定された対象者７０の行動および状態の傾向を可視化した可視化図表を作成するために必要な情報と、コメントを作成するために必要な情報が含まれる。
【００５０】
演算部２１４は、取得部２１３が取得した対象者に関する情報に基づいて、対象者７０の行動および状況の傾向を、指定されたユーザーに応じた項目について可視化した可視化図表、およびコメントを含むレポートを作成する。
【００５１】
出力制御部２１５は、作成されたレポートを、通信部２２を介して出力する。
【００５２】
図６は、スタッフに向けたレポートの例を示す図である。図６においては、レポートの提供先のユーザーがスタッフで、レポートの作成対象者が３号室のＡさんである場合の１月度のレポートが示されている。
【００５３】
図６の例においては、レポートに含まれる可視化図表として、（１）対象者７０の睡眠時間、体温、および血圧の、１月度における日ごとの数値の傾向が可視化されたグラフ、および（２）対象者７０の食事量の、１月度における日ごとの数値の傾向が可視化された表が例示されている。さらに、（３）対象者７０によるナースコール数の、１月度の上半期（２週間）の日ごとの総数の傾向が可視化されたグラフ、（４）対象者７０によるナースコール数の、１月度の上半期（２週間）の各日における時間ごとの傾向が可視化された表、および（５）対象者７０の離床数の、１月度の上半期（２週間）の各日における時間ごとの傾向が可視化された表が例示されている。
【００５４】
図６の例においては、レポートには、コメントとして、分析結果がさらに含まれている。また、コメントとして、「３号室のＡ様は、夜間にナースコールをされることが多いです。一方で、離床数はナースコールと比較して少ないことから、ベッドには入っているがなかなか寝付けない状態となっているようです。」という分析結果が含まれている。分析結果は、例えば、プログラムにより、可視化図表の作成に用いられた、対象者に関する情報を統計処理することで対象者の行動および状態における傾向や特異点を特定し、特定した傾向や特異点に対応する事実を解析することで作成し得る。分析結果は、ディープラーニング等の機械学習技術を利用して、制御部２１が自動的に作成してもよい。また、後述するように、可視化図表を、管理者端末３０の表示部３３に表示させ、可視化図表により対象者７０の状況を把握した管理者９０によるコメントの入力を管理者端末３０の入力部３４で受け付けて、受け付けたコメントを受信して、レポートに含ませてもよい。コメントは、介護記録に記載された特記事項を転用してもよい。
【００５５】
スタッフに向けたレポートにおいて、図６の例のように、ナースコール数の傾向や、対象者７０の状態の傾向を対象者７０ごとに可視化した可視化図表を含ませることで、対象者７０に合ったケアプランを検討できる。ケアプランとは、対象者７０に対して行う介護内容等の計画であり、例えば、昼間における運動計画、食事メニューの計画、およびリハビリの計画を含む。
【００５６】
図７は、対象者の家族に向けたレポートの例を示す図である。図７においては、レポートの提供先のユーザーが対象者７０の家族で、レポートの作成対象者が３号室のＡさんである場合の１月度のレポートが示されている。
【００５７】
図７の例においては、レポートに含まれる可視化図表として、（１）対象者７０の睡眠時間、体温、および血圧の、１月度における日ごとの数値の傾向が可視化されたグラフ、および（２）対象者７０の食事量の、１月度における日ごとの数値の傾向が可視化された表が例示されている。図７に示すレポートにおいて、図６に示すレポートに含まれる、上述した、（３）対象者７０によるナースコール数の、１月度の上半期（２週間）の日ごとの総数の傾向が可視化されたグラフ、（４）対象者７０によるナースコール数の、１月度の上半期（２週間）の各日における時間ごとの傾向が可視化された表、および（５）対象者７０の離床数の、１月度の上半期（２週間）の各日における時間ごとの傾向が可視化された表が含まれていないのは、これらの可視化図表は、対象者７０の家族にとっては、比較的関心度が低いと考えられるからである。
【００５８】
図７の例においては、レポートには、コメントとして、スタッフコメントがさらに含まれ得る。図７の例においては、「３号室のＡ様は、１月８日の昼から１月１０日夜まで、食事の量が減少しています。これは、先にご連絡いたしましたように、風邪による発熱があり、体調不良のため点滴を行っていたことによります。現在は、発熱もなく、食事も十分摂れていますのでご安心ください。」というコメントがレポートに含まれている。コメントは、図６の例と同様に、プログラムにより作成され得る。また、管理者により入力されてもよく、介護記録に記載された特記事項を転用してもよい。
【００５９】
家族に向けたレポートにおいて、上述したような対象者７０の行動や状態の傾向を対象者７０ごとに可視化した可視化図表を含ませることで、施設に対する顧客満足度をより向上できる。
【００６０】
（管理者端末３０）
図８は、管理者端末のハードウェア構成を示すブロック図である。管理者端末３０は、いわゆるＰＣ（Ｐｅｒｓｏｎａｌ  Ｃｏｍｐｕｔｅｒ）であり、制御部３１、通信部３２、表示部３３、および入力部３４を備え、これらはバスにより相互に接続される。制御部３１は、検出部１０の制御部１１と同様の構成として、ＣＰＵ、ＲＡＭ、ＲＯＭ等を備える。
【００６１】
通信部３２は、イーサネット（登録商標）等の規格による有線通信のネットワークインターフェースや、Ｂｌｕｅｔｏｏｔｈ（登録商標）、ＩＥＥＥ８０２．１１等の規格による無線通信のインターフェース等の各種ローカル接続向けのインターフェースであり、ネットワーク５０に接続した各端末との通信を行う。
【００６２】
表示部３３は、例えば液晶ディスプレイであり、各種情報を表示する。
【００６３】
入力部３４は、キーボード、テンキー、マウス等を備えており、各種情報の入力を行う。
【００６４】
本実施形態では、管理者端末３０は、管理者９０用の端末として用いられる。管理者９０は、レポートの作成において責任を有する者である。管理者９０は、例えば、複数のスタッフ８０を統括するマネージャーである。
【００６５】
管理者端末３０は、レポートを出力する際、管理者９０の指示の入力により、表示部３３にレポートに含ませる可視化図表を表示し、当該可視化図表を見た管理者９０により入力部３４に入力される、レポートに含ませるコメントを受け付け、サーバー２０へ送信する。
【００６６】
管理者端末３０は、可視化図表により可視化される、ユーザーに応じた項目の管理者９０による指定を受け付ける。具体的には、ユーザーに応じた項目の候補を、管理者端末３０の表示部３３に選択可能に表示させ、当該候補のうち、管理者９０により選択された項目を、ユーザーに応じた項目として受け付け、サーバー２０へ送信する。
【００６７】
管理者端末３０は、レポートを作成する対象者の指定と、レポートを用いるユーザーの指定を受け付け、サーバー２０へ送信する。
【００６８】
管理者端末３０は、レポートに含まれる各可視化図表に用いられる、対象者に関する情報が蓄積された日時（期間）の指定を受け付け、サーバー２０へ送信する。
【００６９】
（スタッフ端末４０）
図９は、携帯端末のハードウェア構成を示すブロック図である。スタッフ端末４０は、制御部４１、無線通信部４２、表示部４３、入力部４４、および音声入出力部４５を備え、これらはバスにより相互に接続される。制御部４１は、検出部１０の制御部１１と同様の構成として、ＣＰＵ、ＲＡＭ、ＲＯＭ等を備える。無線通信部４２により、Ｗｉ−Ｆｉ、Ｂｌｕｅｔｏｏｔｈ（登録商標）等の規格を用いた無線通信が可能であり、アクセスポイント５１を経由して、または直接的に各装置と無線通信する。表示部４３、および入力部４４は、タッチパネルであり、液晶等で構成される表示部４３の表示面に、入力部４４としてのタッチセンサーを重畳させたものである。表示部４３、入力部４４によって、スタッフ８０に対して、各種指示が表示される。また、表示部４３、入力部４４によって、イベント通知を表示した操作画面を表示したり、操作画面を通じてイベントへの対応の意思の入力や、介護記録の入力等の各種の操作を受け付けたりする。音声入出力部４５は、例えばスピーカーとマイクであり、無線通信部４２を介して他のスタッフ端末４０との間でスタッフ８０による音声通話を可能にする。スタッフ端末４０は、例えば、タブレット型コンピューター、スマートフォンまたは携帯電話等の、持ち運び可能な通信端末機器によって構成できる。
【００７０】
なお、検出部１０、サーバー２０、管理者端末３０、およびスタッフ端末４０は、上記の構成要素以外の構成要素を含んでもよく、あるいは、上記の構成要素のうちの一部を含まなくてもよい。
【００７１】
見守りシステムにおけるサーバー２０の動作について説明する。
【００７２】
図１０は、サーバーの動作を示すフローチャートである。本フローチャートは、サーバー２０の記憶部２３に記憶されたプログラムに従い、制御部２１により実行され得る。
【００７３】
入力制御部２１１は、対象者に関する情報を受け付け（Ｓ１０１）、記憶制御部２１２は、受け付けられた対象者に関する情報を記憶部２３に記憶させることで蓄積する（Ｓ１０２）。
【００７４】
入力制御部２１１は、レポートの作成の対象となる対象者７０を受け付ける（Ｓ１０３）。なお、施設に入居するすべての対象者７０を対象とするレポート作成する場合は、本ステップは実行されない。
【００７５】
入力制御部２１１は、レポートの提供先のユーザーを受け付ける（Ｓ１０４）。この受付は、ラジオボタンによる、ユーザーの種類（家族、スタッフ等）を選択するようにしてもよい。
【００７６】
入力制御部２１１は、ステップＳ１０４で受け付けたユーザーに対応する項目を、レポートにおいて対象者７０の行動および状態の傾向を可視化する、ユーザーに応じた項目として決定する（Ｓ１０５）。対象者７０の行動および状態の傾向は、レポートにおいて、例えば、可視化図表により可視化される。上述したように、可視化図表には、図、表、またはグラフが含まれる。ユーザーに応じた項目が予め各ユーザーに対応付けされて記憶部２３に記憶されている場合は、受け付けられたユーザーに予め対応付けされた項目を、ユーザーに応じた項目とし決定する。上述したように、この項目は、ユーザーの種類ごとに対応付けられているが、ユーザー個人（ユーザーＩＤ）ごとに対応付けられていてもよい。ユーザーに応じた項目は、ユーザーに応じた項目の候補のうち、管理者９０により選択された項目としてもよい。
【００７７】
取得部２１３は、蓄積された、対象者に関する情報のうち、レポートの作成に必要な情報を取得する。演算部２１４は、取得された対象者に関する情報に基づいて、対象者７０の行動および状態の傾向を、ユーザーに応じた項目について、対象者７０ごとに可視化した可視化図表を含むレポートを作成する（Ｓ１０６）。
【００７８】
演算部２１４は、作成したレポートを、管理者端末３０等に表示させ、管理者端末３０等において管理者９０等により入力された、レポートに追加するコメントを受け付け（Ｓ１０７）、レポートにコメントを追加する（Ｓ１０８）。これにより、最終的なレポートの作成が完了する。
【００７９】
出力制御部２１５は、作成されたレポートを出力する（Ｓ１０９）。
【００８０】
本実施形態は以下の効果を奏する。
【００８１】
蓄積された、対象者の行動および状態の情報に基づいて、ユーザーに応じて設定された項目について、対象者の行動および状態の傾向が可視化された結果を含むレポートを作成して出力する。これにより、ユーザーが必要とする項目について、対象者の行動および状態の傾向が対象者ごとに可視化された結果を含むレポートを、ユーザーごとに出力できる。
【００８２】
さらに、対象者の行動および状態の情報に基づいて、対象者ごとのコメントを作成し、コメントを含むレポートを作成する。これにより、レポートを用いるユーザーの、介護等に関する満足度を向上させることができる。
【００８３】
さらに、作成した、対象者ごとに可視化した図または表を表示して、スタッフによる、コメントを受け付け、受け付けたコメントを含むレポートを作成する。これにより、レポートを用いるユーザーの、介護等に関する満足度をさらに向上させることができる。
【００８４】
さらに、図または表により可視化する項目を受け付け、受け付けた項目について、可視化した図または表を含むレポートを作成する。これにより、ユーザーにとって必要な項目を詳細に検討することを可能にし、検討の結果が反映された項目について可視化した図または表を含むレポートを出力できる。
【００８５】
さらに、対象者の行動および状態には、就寝時間、起床時間、睡眠時間、食事量、水分摂取量、血圧、体温、排泄回数、離床数、ナースコール数、行事中の様子、前記対象者の居室の室温および湿度、ならびに天気の少なくともいずれかを含ませる。これにより、的確に対象者の状況が把握できるレポートを出力できる。
【００８６】
さらに、レポートにおいて図または表により可視化しようとする、対象者の行動および状態の情報がそれぞれ蓄積された期間の指定を受け付け、指定された期間に蓄積された、対象者の行動および状態の情報を可視化した図または表を含むレポートを作成する。これにより、適切な期間における対象者の行動および状態が可視化された図または表を含むレポートを出力できる。
【００８７】
以上に説明した見守りシステムの構成は、上述の実施形態の特徴を説明するにあたって主要構成を説明したのであって、上述の構成に限られず、特許請求の範囲内において、種々改変することができる。また、一般的な見守りシステムが備える構成を排除するものではない。
【００８８】
例えば、サーバー２０が有する機能を、管理者端末３０、または検出部１０が備えるようにしてもよい。
【００８９】
また、検出部１０、サーバー２０、管理者端末３０およびスタッフ端末４０は、それぞれ複数の装置により構成されてもよく、いずれか複数の装置が単一の装置として構成されてもよい。
【００９０】
また、上述したフローチャートは、一部のステップを省略してもよく、他のステップが追加されてもよい。また各ステップの一部は同時に実行されてもよく、一つのステップが複数のステップに分割されて実行されてもよい。
【００９１】
また、レポートには、複数の対象者７０の行動および状態が、対象者７０ごとに可視化された可視化図表が含まれてもよい。この場合、レポートには対象者７０ごとのコメントが含まれ得る。これにより、施設全体として各対象者７０に対するサービスの向上を実現できる。
【００９２】
また、レポートには可視化図表のみが含まれてもよい。
【００９３】
また、上述した実施形態に係る見守りシステム１における各種処理を行う手段および方法は、専用のハードウェア回路、またはプログラムされたコンピューターのいずれによっても実現することが可能である。上記プログラムは、例えば、ＵＳＢメモリやＤＶＤ（Ｄｉｇｉｔａｌ  Ｖｅｒｓａｔｉｌｅ  Ｄｉｓｃ）−ＲＯＭ等のコンピューター読み取り可能な記録媒体によって提供されてもよいし、インターネット等のネットワークを介してオンラインで提供されてもよい。この場合、コンピューター読み取り可能な記録媒体に記録されたプログラムは、通常、ハードディスク等の記憶部に転送され記憶される。また、上記プログラムは、単独のアプリケーションソフトとして提供されてもよいし、一機能としてその検出部等の装置のソフトウエアに組み込まれてもよい。
【００９４】
本出願は、２０１８年６月１５日に出願された日本特許出願（特願２０１８−１１４３５１号）に基づいており、その開示内容は、参照され、全体として、組み入れられている。
【図１】
2019239716.tif 000003
【図２】
2019239716.tif 000004
【図３】
2019239716.tif 000005
【図４】
2019239716.tif 000006
【図５】
2019239716.tif 000007
【図６】
2019239716.tif 000008
【図７】
2019239716.tif 000009
【図８】
2019239716.tif 000010
【図９】
2019239716.tif 000011
【図１０】
2019239716.tif 000012
【国際調査報告】
2019239716.tif 000013
2019239716.tif 000014
2019239716.tif 000015
2019239716.tif 000016